(57)【要約】【課題】持ち帰って再使用することが可能であり、披露宴等の記念品にもなる箸セットを提供する。【解決手段】箸１と、箸１を収容する箸ケース１０と、を備えている。箸ケース１０は、ケース本体１１とケース蓋１２とを備えており、ケース蓋１２をケース本体１１に取り付けた状態において、箸ケース１０の側面に形成される両者の境界線10sが斜めになるように形成されており、ケース本体１１の取付部の先端縁は、側面視で、境界線10sと逆方向に傾斜するように形成されている。ケース蓋１２を外すときに、ケース蓋１２の端縁と取付部の先端縁によって谷間が形成され、その谷間が徐々に広がりながら開口が徐々に開いていくので、ケース蓋１２を取り外すときにケース本体１１とケース蓋１２が形成する形状が綺麗になる。【選択図】図１
0003178054.tif 000002
【実用新案登録請求の範囲】
【請求項１】
箸と、該箸を収容する箸ケースと、を備えており、
該箸ケース内に、箸と共に箸置きが収容されている
ことを特徴とする箸セット。
【請求項２】
前記箸置きには、前記箸の先端を保持する保持部が設けられており、
前記箸は、
その先端が前記箸置きの保持部に保持された状態で前記箸ケース内に収容されている
ことを特徴とする請求項１記載の箸セット。
【請求項３】
前記箸ケースは、
中空であって、一端に開口が形成されたケース本体と、
該ケース本体の一端に取り付けられるケース蓋と、を備えており、
該ケース蓋を前記ケース本体に取り付けた状態において、該箸ケースの側面に形成される両者の境界線が該箸ケースの軸方向に対して斜めになるように、前記ケース本体および前記ケース蓋が形成されており、
前記ケース本体は、
その一端から延びた、前記ケース蓋が取り付けられる取付部を備えており、
該取付部の先端縁は、
側面視で、該箸ケースの軸方向に対して斜めかつ前記境界線と逆方向に傾斜するように形成されている
ことを特徴とする請求項１または２記載の箸セット。
【請求項４】
前記ケース本体内には、
該ケース本体に対して出没可能に設けられたプレートが収容されており、
該プレートには、前記箸の先端を収容する収容孔が設けられており、
前記箸置きの保持部が、前記箸の先端を挿通しうる構造を有しており、
前記箸は、
その先端が前記箸置きの保持部に挿通されかつ前記プレートの収容孔に挿入された状態で該プレート上に配置されて、前記ケース本体内に収容されている
ことを特徴とする請求項３記載の箸セット。
【請求項５】
前記箸置きが、
上面に前記箸を載せる箸置き部を有する鞍型に形成されたものであり、
前記箸置き部を前記プレートの上面に接触させるように載せた状態で前記ケース本体内に収容されている
ことを特徴とする請求項１、２、３または４記載の箸セット。
【請求項６】
前記箸ケースは、
一枚のケースシートを折り曲げて形成されており、
該ケースシートは、
略長方形状に形成されたベースシートと、
該ベースシートにおける一対の長辺と連続するように設けられた一対のカバーシートと、
該ベースシートにおける一対の短辺と連続するように設けられた一対の箸支持シートと、を備えており、
一のカバーシートには、
前記ベースシートと連続する辺と対向する辺に、係合片が設けられており、
他のカバーシートと前記ベースシートとの連結部分には、
他のカバーシートを前記ベースシートに重なるように該ベースシートとの連結部分において折り曲げかつ一のカバーシートを他のカバーシートに重なるように前記ベースシートとの連結部分で折り曲げたときに、前記係合片を挿入し得る係合スリットが形成されている
ことを特徴とする請求項１または２記載の箸セット。
【請求項７】
前記一対の箸支持シートは、
前記ベースシートに重なるように前記ベースシートとの連結部分において折り曲げた状態において、該ベースシートと逆側に位置する一対の支持片を備えており、
該一対の支持片は、
前記一対の箸支持シートの両端縁を折り曲げて形成されており、
一の箸支持シートには、
前記一対の支持片の間に前記箸の手元側を配置しうる程度の箸支持隙間が形成されており、
他の箸支持シートには、
一の箸支持シートの箸支持隙間に前記箸の手元側を載せた状態において、該箸の先端を挿入しうる箸固定スリットが形成されている
ことを特徴とする請求項６記載の箸セット。
【請求項８】
前記箸置きが、
シートを折り曲げて形成されたものであり、
該箸置きは、
前記シートを展開した状態で前記箸ケース内に収容されている
ことを特徴とする請求項６または７記載の箸セット。
【請求項９】
前記箸置きの保持部が、前記箸の先端を挿通しうる構造を有しており、
前記箸は、
その先端が前記箸置きの挿通部に挿通されかつ前記他の箸支持シートの箸固定スリットに挿入された状態で、前記箸ケース内に収容されている
ことを特徴とする請求項８記載の箸セット。
【考案の詳細な説明】
【技術分野】
【０００１】
本考案は、箸セットに関する。さらに詳しくは、披露宴や宴会、レストラン等の飲食店等において、使用される箸セットであって、使用した後、持ち帰ることができ、継続使用が可能な箸セットに関する。
【背景技術】
【０００２】
従来、披露宴や宴会、食事会等で使用される箸には、使い捨てされる箸が使用されているので（例えば、特許文献１）、使用した箸は、披露宴や宴会、食事会等の終了後廃棄焼却処理されることが一般的であった。
かかる焼却処理には、重油等の燃料が必要となるし、また、焼却処理によりＣＯ２が排出されること、使い捨てされる箸は木製であるため木材資源の消費につながることもあり、かかる箸を使用し続けることは環境に悪影響を与えることが危惧される。
【０００３】
また、箸も、披露宴や宴会、食事会等における食卓を演出する物品であるため、宴会等の場に相応しい外観を備えたものが好ましく、そのような外観を備えた箸が求められている。
【０００４】
さらに、披露宴や宴会、食事会等では、お土産が提供される場合もあるが、特別なお土産等がない場合もある。そのような場合でも、参加者が、披露宴や宴会、食事会などの記念品として持ち帰ることができるものがあれば望ましい。
【先行技術文献】
【特許文献】
【０００５】
【特許文献１】特開平５−３８３１０号
【考案の概要】
【考案が解決しようとする課題】
【０００６】
本考案は上記事情に鑑み、披露宴や宴会、食事会をその会の趣旨に相応しく演出することができ、持ち帰って再使用することが可能であり、披露宴や宴会、食事会等の記念品にもなる箸セットを提供することを目的とする。
【課題を解決するための手段】
【０００７】
第１考案の箸セットは、箸と、該箸を収容する箸ケースと、を備えており、該箸ケース内に、箸と共に箸置きが収容されていることを特徴とする。
第２考案の箸セットは、第１考案において、前記箸置きには、前記箸の先端を保持する保持部が設けられており、前記箸は、その先端が前記箸置きの保持部に保持された状態で前記箸ケース内に収容されていることを特徴とする。
第３考案の箸セットは、第１または第２考案において、前記箸ケースは、中空であって、一端に開口が形成されたケース本体と、該ケース本体の一端に取り付けられるケース蓋と、を備えており、該ケース蓋を前記ケース本体に取り付けた状態において、該箸ケースの側面に形成される両者の境界線が該箸ケースの軸方向に対して斜めになるように、前記ケース本体および前記ケース蓋が形成されており、前記ケース本体は、その一端から延びた、前記ケース蓋が取り付けられる取付部を備えており、該取付部の先端縁は、側面視で、該箸ケースの軸方向に対して斜めかつ前記境界線と逆方向に傾斜するように形成されていることを特徴とする。
第４考案の箸セットは、第３考案において、前記ケース本体内には、該ケース本体に対して出没可能に設けられたプレートが収容されており、該プレートには、前記箸の先端を収容する収容孔が設けられており、前記箸置きの保持部が、前記箸の先端を挿通しうる構造を有しており、前記箸は、その先端が前記箸置きの保持部に挿通されかつ前記プレートの収容孔に挿入された状態で該プレート上に配置されて、前記ケース本体内に収容されていることを特徴とする。
第５考案の箸セットは、第１、第２、第３または第４考案において、前記箸置きが、鞍型に形成されたものであり、前記箸を載せる部分が形成されている面を前記プレートの上面に載せた状態で前記ケース本体内に収容されていることを特徴とする請求項１、２、３または４記載の箸セット。
第６考案の箸セットは、第１または第２考案において、前記箸ケースは、一枚のケースシートを折り曲げて形成されており、該ケースシートは、略長方形状に形成されたベースシートと、該ベースシートにおける一対の長辺と連続するように設けられた一対のカバーシートと、該ベースシートにおける一対の短辺と連続するように設けられた一対の箸支持シートと、を備えており、一のカバーシートには、前記ベースシートと連続する辺と対向する辺に、係合片が設けられており、他のカバーシートと前記ベースシートとの連結部分には、他のカバーシートを前記ベースシートに重なるように該ベースシートとの連結部分において折り曲げかつ一のカバーシートを他のカバーシートに重なるように前記ベースシートとの連結部分で折り曲げたときに、前記係合片を挿入し得る係合スリットが形成されていることを特徴とする。
第７考案の箸セットは、第６考案において、前記一対の箸支持シートは、前記ベースシートに重なるように前記ベースシートとの連結部分において折り曲げた状態において、該ベースシートと逆側に位置する一対の支持片を備えており、該支持片は、前記一対の箸支持シートの両端縁を折り曲げて形成されており、一の箸支持シートには、前記一対の支持片の間に前記箸の手元側を配置しうる程度の箸支持隙間が形成されており、他の箸支持シートには、一の箸支持シートの箸支持隙間に前記箸の手元側を載せた状態において、該箸の先端を挿入しうる箸固定スリットが形成されていることを特徴とする。
第８考案の箸セットは、第６または第７考案において、前記箸置きが、シートを折り曲げて形成されたものであり、該箸置きは、前記シートを展開した状態で前記箸ケース内に収容されていることを特徴とする。
第９考案の箸セットは、第８考案において、前記箸置きが、前記箸の先端を保持する保持部を備えており、該保持部が前記箸の先端を挿通しうる構造を有しており、前記箸は、その先端が前記箸置きの挿通部に挿通されかつ前記他の箸支持シートの箸固定スリットに挿入された状態で、前記箸ケース内に収容されている
ことを特徴とする。
【考案の効果】
【０００８】
第１考案によれば、箸と箸置きがセットになっているので、別途箸置きを用意する必要がなくなる。
第２考案によれば、箸の先端が箸置きに保持されているので、箸を安定した状態で箸ケース内に収容しておくことができる。
第３考案によれば、境界線が箸ケースの軸方向に対して斜めになるようにケース本体およびケース蓋が形成されているので、箸ケースの外観が美しくなり、結婚式等に使用すると華やかさを演出することができる。また、取付部の先端縁が境界線と逆方向に傾斜するように形成されているので、ケース蓋を外すときに、ケース蓋の端縁と取付部の先端縁によって谷間が形成される。しかも、その谷間が徐々に広がりながら開口が徐々に開いていくので、ケース蓋を取り外すときにケース本体とケース蓋が形成する形状が綺麗になる。
第４考案によれば、箸を箸置きとともにすっきりと箸ケース内に収容しておくことができる。また、プレート上に箸も箸置きも載せられており、しかも、箸および箸置きがしっかりとプレートに固定されているので、箸や箸置きを簡単かつ綺麗に取り出すことができる。
第５考案によれば、箸置きが鞍型に形成されており、箸置き部をプレートの上面に接触させるようにプレート上に載せられているので、プレートに載せた状態において、箸置きの上部に空間を形成することができる。このため、この空間に箸拭きなどを入れておくことができる。
第６考案によれば、シートを折り曲げて箸ケースを形成しているので、箸ケースの構造を簡単にすることができる。そして、一対の箸支持シートおよび一対のカバーシートを折り曲げて係合片を係合スリットに挿入すれば、箸ケース内に箸や箸置きを収納できるので、箸の持ち帰りが容易である。しかも、シートを折り曲げて形成しているので、箸ケースを薄くでき、持ち帰る際に嵩張らない。
第７考案によれば、支持片によって、カバーシートを少しベースシートから浮かせた状態にすることができるので、箸ケースが丸みを帯びた形状となり、見た目が綺麗になる。しかも、一対の箸支持シートにおける箸支持隙間および箸固定スリットによって箸を安定した状態で保持しておくことができるので、箸を持ち帰り易くすることができる。
第８考案によれば、箸置きがシートを展開した状態で箸ケース内に収容されているので、箸とともに箸置きを箸ケース内に入れても嵩張らず、箸ケースの形状をすっきりとさせることができる。
第９考案によれば、箸とともに箸置きをしっかりと箸ケースに固定しておくことができる。また、箸や箸置きとベースシートの間に箸拭きなどを入れれば、箸拭きなどを安定した状態で箸ケース内に収容しておくことができる。
【図面の簡単な説明】
【０００９】
【図１】本実施形態の箸セットの概略説明図である。
【図２】（Ａ）は本実施形態の箸セットから箸１を取り出す状況の概略説明図であり、（Ｂ）は箸セットの箸置き１４を使用している状態の概略説明図である。
【図３】（Ａ）は本実施形態の箸セットから箸１を取り出した状態の概略説明図であり、（Ｂ）は箸セットのプレート１３および箸置き１４の収納状態の概略説明図である。
【図４】本実施形態の箸セットの構成物品説明図である。
【図５】（Ａ）は他の実施形態の箸セット２０の概略斜視図であり、（Ｂ）は箸セット２０を開いた状態の概略説明図である。
【図６】箸セット２０を開いた状態の概略説明図である。
【図７】（Ａ）は箸セットの構成物品説明図であり、（Ｂ）は箸セット２０の箸置き２４を使用している状態の概略説明図である。
【考案を実施するための形態】
【００１０】
つぎに、本考案の実施形態を図面に基づき説明する。
図１および図２に示すように、本実施形態の箸セットは、箸ケース１０内に箸１および箸置き１４が収容されたものである。つまり、本実施形態の箸セットは、箸１を入れるための専用の箸ケース１０を備えたものである。
【００１１】
このため、本実施形態の箸セットを、披露宴などの宴会や、お食事会等においてテーブル等にセットすれば、通常の使い捨てされる箸とは異なり、使用後の箸１を箸ケース１０に入れて、記念品として持ち帰ることができる。
【００１２】
また、本実施形態の箸セットは、記念品として持ち帰った後も、箸１を専用の箸ケース１０に入れておけば清潔にかつ気軽に持ち歩くことができるので、再使用しやすくなる。そして、通常の食事において、使い捨てされる箸に代えて本実施形態の箸セットの箸１が使用されれば、廃棄される箸を少なくすることができる。すると、使い捨てされる箸を使用することにより、環境に悪影響が及ぶことを防ぐことができる。
【００１３】
さらに、図３に示すように、本実施形態の箸セットの箸ケース１０には箸拭き１５も収容されているとより好ましい。箸拭き１５があれば、使用前に箸１を拭くことができるので、使用者が安心して箸１を使用することができる。また、箸拭き１５があれば、箸１を使用した後に箸１を拭くことができるから、箸１を箸ケース１０に収容して持ち帰るときに、使用前とほぼ同等の清潔な状態にすることができる。そして、箸１を使用前とほぼ同等の清潔な状態にすることができるから、使用した箸１を持ち帰ることへの抵抗感を少なくすることができる。
【００１４】
なお、本実施形態の箸セットでは、箸ケース１０が付いているので、箸ケース１０内に簡単なメッセージを入れておくことも可能である。例えば、宴会等の趣旨を説明するメッセージ等を記載した紙などをいれておけば、宴会等の記念になる。
【００１５】
（本実施形態の箸セットの構造の説明）
つぎに、本実施形態の箸セットについて、その形状等を詳細に説明する。
【００１６】
図１に示すように、本実施形態の箸セットの箸ケース１０は、ケース本体１１とケース蓋１２を備えている。
ケース本体１１は、断面が矩形（正方形または長方形）の筒状に形成された部材であり、中空であってその軸方向の一端に開口を有し、その他端が閉塞されたものである。このケース本体１１は、その一端から延びた取付部を備えており、この取付部にケース蓋１２を取り付けることによってケース本体１１内部を外部から隔離できるようになっている。
【００１７】
図１および図２に示すように、ケース本体１１は、外筒11aと内筒11bとから構成されている。
外筒11aは、断面が矩形（正方形または長方形）であって、一端が開口し他端が閉塞した中空な有底筒状の部材である。この外筒11aによってケース本体１１の外面、つまり、箸ケース１０の外面が形成されている。
内筒11aは、一端が開口した中空な筒状の部材である。この内筒11aは、その断面が外筒11aの断面と略相似形に形成されており、その４つの外側面が外筒11aの４つの内側面に固定されている。具体的には、内筒11aの４つの外側面が外筒11aの４つの内側面にそれぞれ面接触するように設けられている。そして、内筒11aは、その一端が外筒11aの開口から突出するように設けられており、この突出した部分によってケース蓋１２を取り付ける取付部が形成されている。
【００１８】
また、ケース蓋１２は、ケース本体１１の外筒11aと同様に、断面が矩形（正方形または長方形）であって、一端が開口し他端が閉塞した中空な有底筒状の部材である。このケース蓋１２は、その中空な空間の断面形状がケース本体１１の外筒11aにおける中空な空間と同じ断面形状に形成されている。言い換えれば、ケース蓋１２の中空な空間の断面形状は、ケース本体１１の内筒11aの断面と同じ断面形状に形成されている。しかも、ケース蓋１２の厚さとケース本体１１の外筒11aの厚さが同じ厚さとなるように形成されている。例えば、ケース本体１１の外筒11aおよびケース蓋１２を紙で形成する場合には、両者は同じ厚さの紙で形成される。
【００１９】
上記のごとくであるので、ケース蓋１２の一端の開口からケース本体１１の内筒11aの一端、つまり、取付部を挿入すれば、ケース蓋１２をケース本体１１に取り付けることができる。
【００２０】
しかも、ケース蓋１２の中空な空間の断面形状が、ケース本体１１の外筒11aの中空な空間と同じ断面形状に形成されているので、ケース蓋１２を取付部に取り付けると、取付部の４つの外側面（つまり、ケース本体１１の内筒11aの一端における４つの外側面）がケース蓋１２の４つの内側面と面接触した状態となる。このため、ケース蓋１２を取付部にしっかりと取り付けることができ、ケース本体１１からケース蓋１２が簡単に外れない状態とすることができる。
【００２１】
また、本実施形態の箸セットの箸ケース１０は、図１に示すように、ケース蓋１２を取付部に取り付けると、ケース本体１１における外筒11aの一端側の端縁とケース蓋１２における一端縁が接触するように、ケース本体１１およびケース蓋１２が形成されている。そして、ケース蓋１２の中空な空間の断面形状がケース本体１１の外筒11aの中空な空間と同じ断面形状に形成されており、しかも、ケース蓋１２とケース本体１１の外筒11aの厚さが同じであるから、箸ケース１０は、ケース本体１１とケース蓋１２との境界において段差ができない。すると、ケース蓋１２をケース本体１１に取り付けた状態では、両者の一端側同士が接触している部分によって、箸ケース１０の側面に両者を分離する境界線10sが形成されたように見える。
【００２２】
そして、本実施形態の箸セットの箸ケース１０では、この境界線10sにおいて箸ケース１０の側面に形成される部分が、箸ケース１０の軸方向に対して斜めになるようにケース本体１１およびケース蓋１２が形成されている。
【００２３】
上記のごとき構造にケース本体１１およびケース蓋１２が形成されているので、ケース蓋１２をケース本体１１に取り付けた状態では、箸ケース１０がケース蓋１２とケース本体１１が一体の筒状部材で形成されたように見える。そして、境界線10sによって、箸ケース１０の側面に斜め線の模様が形成されているように見えるので、箸ケース１０の外観が美しくなり、結婚式等に使用すると華やかさを演出することができる。
【００２４】
また、ケース本体１１の取付部の先端縁（内筒11aの一端縁）は、側面視で、ケース本体１１の軸方向に対して斜めに形成されている。しかも、取付部の先端縁の傾斜は、箸ケース１０の側面の境界線10sと逆方向に傾斜するように形成されている。
かかる形状であるので、箸ケース１０のケース本体１１にケース蓋１２を取り付けた状態からケース蓋１２を外すときに、ケース蓋１２の一端縁と取付部の先端縁によって谷間が形成される（図１（Ｂ）参照）。しかも、ケース蓋１２をケース本体１１から離間させていくと、両者間の谷間が徐々に広がりながらケース本体１１の開口が徐々に開いていくので、ケース蓋１２を取り外すときにケース本体１１とケース蓋１２が形成する形状が綺麗になる。
【００２５】
なお、箸ケース１０のケース本体１１やケース蓋１２は、紙などのシートを折り曲げて形成してもよいし、プラスチック等の素材を成形して形成してもよく、とくに限定されない。
【００２６】
また、箸ケース１０のケース本体１１やケース蓋１２の断面形状は上述したような矩形に限られず、円形断面や五角形等の多角形としてもよい。
【００２７】
箸１と箸置き１４は、箸ケース１０のケース本体１１内にどのように入れてもよいが、図２および図３に示すように、箸１および箸置き１４を載せるプレート１３を設けておくことが好ましい。
【００２８】
例えば、プレート１３を、ケース本体１１の最も長尺な側面（図２、３では下側の面、以下、単に下面という）と同じ幅かつ下面と同じ長さの板状の部材によって形成する。すると、プレート１３の上に箸１と箸置き１４を載せた状態で、ケース本体１１内にプレート１３、箸１および箸置き１４を収容しておけば、プレート１３を引き出すだけで箸１および箸置き１４をケース本体１１から取り出すことができる。そして、ケース本体１１をテーブル等に置いてプレート１３を箸ケース１０から引き出せば、箸１等がプレート１３に載った状態で、ケース本体１１から取り出すことができるので、箸１等をきれいに取り出すことができる（図１（Ｂ）、図２（Ａ）、図３参照）。また、ケース本体１１から箸１等を取り出す際に、箸１等を落とすこともない。
【００２９】
とくに、図３および図４に示すように、プレート１３に、箸１等が載せられるベース部13bだけでなく、引き出し片13ｃや箸先支持部13ａを設けておくことが好ましい。
ベース部13bの先端（ケース本体１１の開口に配置される端部）に引き出し片13ｃを設けておけば、この引き出し片13ｃを掴んでプレート１３を引き出すことができるので、プレート１３の引き出しが容易になる。
また、ベース部13bの基端に、ベース部13bの上面よりも膨らんだ箸先支持部13ａを設けておき、この箸先支持部13ａに箸１の先端を収容することができる収容孔13hを設けておくことが好ましい。かかる収容孔13hを設けた場合、箸１を、その先端が収容孔13hに挿入された状態となるようにプレート１３上に載せれば、プレート１３を引き出したときに、箸１を確実にプレート１３とともに引き出すことができる。
しかも、箸１の先端が箸先支持部13ａに固定されることになるので、箸１を安定した状態で箸ケース１０内に収容することができる。つまり、箸１が箸ケース１０内で動いてカタカタ音を立てたりすることがないような状態とすることができる。
そして、箸１の先端が箸先支持部13ａに入っているので、箸１の先端が保護されているような印象を与え、衛生的であるという印象を与えることができる。
【００３０】
なお、箸置き１４をプレート１３上に配置する位置はとくに限定されないが、箸置き１４が鞍型に形成されたものであって、上面に前記箸を載せる箸置き部を有する場合には、その箸置き部がプレート１３の上面に接触させるように載せると好ましい。
【００３１】
例えば、図４に示すように、箸置き１４が、箸１の先端をおくための箸置き板14aとこの箸置き板14aを支持する一対の脚14b，14bとを有する鞍型に形成されていれば、箸置き板14a側の面がプレート１３の上面に接触させるように載せる。このとき、一対の脚14b，14bの間の空間の軸方向とプレート１３の長手方向とが一致するように配置する（図２（Ａ）、図３）。すると、一対の脚14b，14bによってプレート１３の側端に壁が立設されたような状態となり、箸置き１４の上部、つまり、箸置き板14aの裏面側には、一対の脚14b，14bによって挟まれた空間が形成される。この空間はプレート１３の長手方向と一致しているので、この空間を通して箸１の先端を収容孔13hに挿入することができる。すると、箸置き１４の箸置き板14aが、箸１の先端部とプレート１３との間に挟まれた状態となるので、箸置き板14aを箸１とともにプレート１３にしっかりと固定しておくことができる。
【００３２】
しかも、箸置き１４の上部の空間に箸拭き１５などを入れておくことができる。箸拭き１５は、一般的な紙製のおてふきを使用することができ、このおてふきを三つ折にするなどすれば、上記空間に配置した状態で箸ケース１０内に収容することができる。しかも、箸拭き１５は一対の脚14b，14bに挟まれた状態となるので、箸拭き１５を安定した状態で箸ケース１０内に収容することができる。そして、プレート１３を引き出したときに、箸拭き１５も確実にプレート１３とともに引き出すことができる。
なお、箸拭き１５の表面に「お箸拭きにお使いください」などのコメント入れておけば、使用する人に箸拭き１５が入っている目的を理解していただくことができる。
【００３３】
さらに、箸置き１４に箸１の先端を保持させる機構（保持部）を設けてもよい。例えば、図４に示すように、箸置き１４の箸置き板14aの部分に、一対の脚14b，14bの間の空間の軸方向と直交するスリット14sを２ヶ所形成しておけば、この２ヶ所のスリット14sに箸１の先端を挿通することができる（図２（Ａ））。この場合、箸１の先端を箸置き１４の２ヶ所のスリット14sに挿通したまま、箸１の先端をプレート１３の収容孔13hに挿入することができるので、箸置き１４をより安定した状態でプレート１３に固定することができる。
しかも、２ヶ所のスリット14sに箸１の先端を挿通しておけば、箸ケース１０から箸１を取り出しても箸１がバラけたりしないという利点も得られる。
なお、箸置き１４に上記のごときスリット14sを設けた場合には、箸置き１４が箸１の移動を制限する役割を果たすので、プレート１３に収容孔13hを設けなくても、ある程度安定した状態で、箸１を箸ケース１０内に収容しておくことができる。
【００３４】
（他の実施形態の箸セットの構造の説明）
また、箸セットの箸ケースは、以下のような構造を有するものでもよい。
図５に示すように、箸セットの箸ケース２０は、一枚のケースシートを折り曲げて、平面視略長方形状に形成されたものである。
【００３５】
ケースシートは、ベースシート２２と、一対のカバーシート２１，２３と、一対の箸支持シート22a，22bとを備えている。
【００３６】
まず、ベースシート２２は、略長方形状に形成されたシートであり、その長尺方向の長さが箸１よりも長くなるように形成されている。
【００３７】
ケースシートは、ベースシート２２における一対の長辺と連続するように設けられた一対のカバーシート２１，２３を備えている。一対のカバーシート２１，２３は、カバーシート２３の幅がベースシート２２の幅よりも少し狭くなるように形成されている。一方、カバーシート２１は、その幅がベースシート２２の幅と同じまたは若干長くなるように形成されている。
そして、カバーシート２１は、ベースシート２１と連続する辺と対向する辺（図５では上側の片）に、係合片21aを備えている。
一方、カバーシート２３とベースシート２１との連結する部分には、係合スリット22hが形成されている。この係合スリット22hは、その長さ（図５では左右方向の長さ）が係合片21aの幅（図５では左右方向の長さ）よりも長くなるように形成されている。
【００３８】
このため、カバーシート２３がベースシート２２に重なるように両者の連結部分においてケースシートを折り曲げ、しかも、カバーシート２１がカバーシート２３に重なるように、カバーシート２１とベースシート２２の連結部分でケースシートを折り曲げる。その状態で係合片21aをカバーシート２１との連結部分で折り曲げれば、係合片21aを係合スリット22hに挿入することができる。すると、ベースシート２２に、カバーシート２３とカバーシート２１がこの順番で重なった状態で保持しておくことができる。
【００３９】
ケースシートは、ベースシート２２における一対の短辺と連続するように設けられた一対の箸支持シート22a，22bを備えている。
一対の箸支持シート22a，22bは、ベースシート２２との連結部分からその先端に向かって若干幅が狭くなるように形成されている。
また、一対の箸支持シート22a，22bは、一対の箸支持シート22a，22bがベースシート２２に重なるようにベースシート２２との連結部分においてケースシートを折り曲げた状態において、一対の箸支持シート22a，22bの両側端縁に上方に折り曲げられる一対の支持片22s，22sを備えている。この一対の支持片22s，22sは、両者の間に箸１を配置しうる程度の箸支持隙間が形成されるように設けられている（図５（Ａ）参照）。
そして、箸支持シート22bには、箸支持シート22bをベースシート２２に重なるように折り曲げた状態において、ベースシート２２の軸方向と直交するように箸固定スリット22cが形成されている。この箸固定スリット22cは、その長さ（図５では上下方向の長さ）が箸１の幅よりも長くなるように形成されている。
【００４０】
以上のような形状であるので、以下のようにすれば、箸ケース２０内に箸１を収容することができる。
【００４１】
まず、一対の箸支持シート22a，22bがベースシート２２に重なるようにベースシート２２との連結部分において折り曲げる。また、一対の箸支持シート22a，22bの一対の支持片22s，22sをそれぞれ上方に折り曲げる。
この状態において、箸固定スリット22cに箸１の先端を挿入し、箸１の手元側を箸支持シート22aの一対の支持片22s，22s間に位置するように配置する。
【００４２】
ついで、カバーシート２３をベースシート２２に重なるように両者の連結部分においてケースシートを折り曲げる。すると、カバーシート２３とベースシート２２との間に箸１を挟み、かつ、カバーシート２３によって箸１を覆うことができる。
最後に、カバーシート２３に重なるように、カバーシート２１をベースシート２２との連結部分でケースシートを折り曲げて、係合片21aを係合スリット22hに挿入する。
すると、カバーシート２１を蓋のように機能させて、箸ケース２０内に箸１を収容しておくことができる。
【００４３】
そして、箸ケース２０は、ケースシートを折り曲げて形成されているので、箸ケース２０の構造を簡単にすることができる。上記のようにすれば、箸ケース２０内に箸１を収納できるので、箸１を持ち帰ることができる。
しかも、箸ケース２０はケースシートを折り曲げて形成しているだけであるので、箸ケース２０を薄くでき、持ち帰る際に嵩張らない。
【００４４】
なお、上記例では、一対の箸支持シート22a，22bが一対の支持片22s，22sを有する場合を説明したが、一対の支持片22s，22sは必ずしも設けなくてもよい。しかし、一対の支持片22s，22sを設ければ、一対の支持片22s，22sによって、一対のカバーシート２１，２３を一対の支持片22s，22sの高さ分だけベースシート２２から浮かせた状態にすることができるので、箸ケース２０が丸みを帯びた形状となり、見た目が綺麗になる（図５（Ａ）参照）。しかも、一対の箸支持シート22a，22bにおける箸支持隙間に箸１の手元を配置することができる。つまり、箸１を一対の支持片22s，22sの間に挟んでおくことができるので、箸１を安定した状態で保持しておくことができるという利点も得られる。
【００４５】
また、図５に示すように、箸１とベースシート２２との間に箸拭き２５を入れておけば、箸拭き２５は箸１とベースシート２２との間に挟まれるので、箸拭き２５を安定した状態で箸ケース２０内に収容しておくことができる。
【００４６】
さらに、箸ケース２０内には、箸置きをいれていてもよい。例えば、上述したような鞍型の箸置き１４の場合、箸置き板14a側の面がベースシート２２の上面に接触させるように載せて、一対の脚14b，14bの間の空間を通して（またはスリット14sを挿通して）、箸１の先端を箸固定スリット22cに挿入することができる。すると、箸１および箸置き１４をしっかりと箸ケース２０に固定しておくことができる。
【００４７】
しかし、図７（Ｂ）に示すように、箸置き２４がシート状の部材を折り曲げて鞍型に形成するものであれば、箸置き２４を展開した状態で箸ケース２０内に収容することが好ましい。
すると、箸１とともに箸置き２４を箸ケース２０内に入れても嵩張らず、箸ケース２０の形状をすっきりとさせることができる。この場合、箸置き２４を入れる場所はとくに限定されないが、一対の箸支持シート22a，22bに取り付けられた箸１とベースシート２２との間に挟んでおけば、箸ケース２０を持ち運びしたときに、箸置き２４が箸ケース２０から落ちることを防ぐことができる。
【００４８】
また、箸置き２４にも箸１の先端を保持させる機構（保持部）を設けてもよい。例えば、図７に示すように、箸置き２４に、スリット24sを２ヶ所形成しておけば、この２ヶ所のスリット24sに箸１の先端を挿通することができる（図５（Ｂ）参照）。この場合、箸１の先端を箸置き２４の２ヶ所のスリット24sに挿通したまま、箸１の先端を箸固定スリット22cに挿入することができるので、箸置き２４をより安定した状態で箸ケース２０に固定することができる。
しかも、箸置き２４の２ヶ所のスリット24sに箸１の先端を挿通しておけば、箸ケース２０から箸１を取り出しても箸１がバラけたりしないという利点も得られる。
なお、図７に示すように、シート状の部材を折り曲げて鞍型に箸置き２４を形成する場合には、２ヶ所のスリット24sを、シート状の部材を折り曲げる折り曲げ線と交差するように形成することが好ましい。この場合、図６および図７に示すように、シート状の部材を折り曲げ線に沿って山形に折り曲げて鞍型とする場合に、２ヶ所のスリット24sの間の部分が谷になるように曲げれば、２ヶ所のスリット24sの間の部分に凹みが形成される。すると、その凹みの部分を箸１を置く箸置き部分とすれば、箸置き２４に安定して箸１を置くことができる。
【産業上の利用可能性】
【００４９】
本考案の箸セットは、披露宴や宴会、レストラン等の飲食店等において使用される箸セットに適している。
【符号の説明】
【００５０】
１        箸
１０        箸ケース
１１        ケース本体
１２        ケース蓋
１３        プレート
１４        箸置き
２０        箸ケース
２１        カバーシート
２２        ベースシート
２２ａ      箸支持シート
２２ｂ      箸支持シート
２３        カバーシート
２４        箸置き
【図１】
0003178054.tif 000003
【図２】
0003178054.tif 000004
【図３】
0003178054.tif 000005
【図４】
0003178054.tif 000006
【図５】
0003178054.tif 000007
【図６】
0003178054.tif 000008
【図７】
0003178054.tif 000009